(57)【特許請求の範囲】
【請求項１】
複数の画像データをスライド形式に連続して表示可能とする保存フォーマットで記録媒体に記録する記録媒体書込装置であって、
画像データと、当該画像データに付与された、イベントを特定可能な情報である付与情報とを共に取得する１つ又は複数の取得手段と、
当該画像データを前記イベント単位に分類する情報である分類情報を受け付ける分類情報受付部と、
前記分類情報で分類される付与情報に基づいて、前記イベント単位に画像データを特定する画像データ特定部と、
前記画像データ特定部によって特定されたイベント単位の画像データ群を、当該イベント単位に再生可能であるスライド表示単位として、記録媒体に記録する分類スライド表示形式記録部とを備え、
前記分類情報受付部は、複数の分類情報を受け付け可能に構成され、前記画像データ特定部は、前記複数の分類情報のぞれぞれで分類される付与情報に基づいて、イベント単位に画像データ群を特定し、
前記分類スライド表示形式記録部によって記録媒体に記録されるイベント単位の画像データ群が複数個である場合に、当該複数個のイベント単位の画像データ群のそれぞれが独立してスライド再生可能に構成されている、記録媒体書込装置。
【請求項２】
前記画像データ特定部によって特定されたイベントごとの画像データ群ごとに、ＢＧＭ音を設定するＢＧＭ音設定部をさらに備える請求項１に記載の記録媒体書込装置。
【請求項３】
前記画像データ特定部によるイベントごとの画像データ群の特定の後に、背景画像を設定する背景画像設定部をさらに備える請求項１又は請求項２に記載の記録媒体書込装置。
【請求項４】
前記付与情報は、イベントを特定可能な日付情報又は位置情報である請求項１から請求項３のいずれか１項に記載の記録媒体書込装置。
【請求項５】
コンピュータに、
画像データと、当該画像データに付与された、イベントを特定可能な情報である付与情報とを共に取得する１つ又は複数の取得ステップと、
当該画像データを前記イベント単位に分類する情報である分類情報を受け付ける分類情報受付ステップと、
前記分類情報で分類される付与情報に基づいて、前記イベント単位に画像データを特定する画像データ特定ステップと、
前記画像データ特定ステップによって特定されたイベント単位の画像データ群を、当該イベント単位に再生可能であるスライド表示単位として、記録媒体に記録する分類スライド表示形式記録ステップとを実行させるための記録媒体書込用プログラムであって、
前記分類情報受付ステップは、複数の分類情報を受け付け可能に構成され、前記画像データ特定ステップは、前記複数の分類情報のぞれぞれで分類される付与情報に基づいて、イベント単位に画像データ群を特定し、
前記分類スライド表示形式記録ステップで記録媒体に記録されるイベント単位の画像データ群が複数個である場合に、当該複数個のイベント単位の画像データ群のそれぞれが独立してスライド再生可能に構成されていることを特徴とする記録媒体書込用プログラム。
【発明の詳細な説明】
【技術分野】
【０００１】
本発明は、複数の画像データをスライド形式に連続して表示可能とする保存フォーマットで記録媒体に記録する記録媒体書込装置に関するものである。
【背景技術】
【０００２】
特許文献１に記載の写真プリントシステムは、いわゆるデジタルミニラボ機として知られているものであり、現像処理済みの写真フィルムやメモリーカード，光磁気ディスクあるいはＣＤ−Ｒメディア等に記録された記録画像から画像データを取込む画像入力装置と、画像入力装置にて取込んだ画像データを写真感光材料の印画紙にプリントして写真プリントを作製する写真プリント装置とから構成されている。
【０００３】
画像入力装置には、写真フィルムのコマ画像を読み取るフィルムスキャナと、パーソナルコンピュータにて構成される制御装置と、フィルムスキャナ等から入力された写真プリント作製用の画像データを補正処理する画像処理装置とが備えられている。そして、この制御装置には、メモリーカードリーダ，光磁気ディスクドライブ及びＤＶＤ−Ｒ／ＲＷドライブ等を備えた外部入出力装置と、仕上がりプリント画像をシミュレートしたシミュレート画像や各種の制御用の情報を表示するモニタと、露光条件の手動設定等や制御情報の入力操作をするための操作卓とが接続されている。
【０００４】
外部入出力装置は、各種記録媒体（メディア）に対応したドライブが備えられ、この各ドライブから画像データの取込みが可能であると共に、各ドライブに対応した記録媒体に画像データ等を記録可能である。
【０００５】
そして、記録媒体に画像データを記録する際に、複数の画像が設定間隔をおいて順次に切り替わるスライド式表示（通常、スライドショーと称される）で再生表示される保存フォーマットで、記録媒体に記録させるように構成されている。
【０００６】
このシステムでは、フィルム１本分又は記録媒体１個から画像データを読み取る１回の処理を１オーダとしており、この１オーダ分の画像データが１個の記録媒体に記録されるように構成されている。スライド式表示で再生表示される保存フォーマットで記録する場合も同様に、１オーダ分（フィルム１本分又は記録メディア１個分）の画像データが１個の記録媒体に記録されるものであった。
【０００７】
【特許文献１】特開２００５−２５２６５５号公報（請求項１、段落番号０００９〜００１０、段落番号００１９）
【発明の開示】
【発明が解決しようとする課題】
【０００８】
ところで、例えば、運動会、旅行等のイベントの場合、フィルム１本分の撮影枚数（例えば、２４枚、３６枚撮り）では不足し、複数本のフィルムを必要とすることがある。
【０００９】
また、デジタルカメラで撮影する場合にも、メディア（コンパクトフラッシュ(登録商標）等）1個で撮影できる画像枚数が制限（通常、記憶容量、撮影画質、画像サイズに依存する）されているため、記録媒体１個で不足する場合もある。また、同じイベント内で、デジタルカメラによる撮影に加え、カメラ付携帯電話やデジタルビデオカメラでの静止画撮影も行われる場合もある。
【００１０】
このような場合、上記の写真プリントシステムは、オーダ単位（例えば、フィルム１本分又はメディア１個分の画像データ）で、画像データを記録媒体に記録する構成になっている。そのため、パーソナルコンピュータ、ＴＶ、ＤＶＤプレイヤー等で再生しようとした場合、オーダ単位の画像データのみが連続してスライド表示されることになる。
【００１１】
すなわち、１つのイベント（テーマ）であっても、その撮影されたフィルムが複数ある場合、記録媒体も複数作成されるため、再生させる場合は、複数の記録媒体を入れ替え、毎回選択操作する必要があり、操作性が大変煩雑である。また、一つのイベントでスライドショーが記録媒体の入れ替えごとに区切れるために、ユーザはスライドショーを楽しく鑑賞できないものとなっていた。つまり、再生時には、運動会や旅行等のイベント単位に、再生して鑑賞したいが、オーダ単位で読み取られたフィルム単位又は記録媒体単位での画像データ群の再生しか行えないために、ユーザにとって大変不便な再生方法となっていた。
【００１２】
本発明は上記実情に鑑みてなされたものであり、その課題は、画像データをイベント単位に再生できる保存形式で記録する記録媒体書込装置を提供することである。
【課題を解決するための手段】
【００１３】
上記課題を解決するため本発明に係る記録媒体書込装置は、
複数の画像データをスライド形式に連続して表示可能とする保存フォーマットで記録媒体に記録する記録媒体書込装置であって、
画像データと、当該画像データに付与された付与情報とを共に取得する１つ又は複数の取得手段と、
当該画像データを分類する情報である分類情報を受け付ける分類情報受付部と、
前記分類情報で分類される付与情報に基づいて画像データを特定する画像データ特定部と、
前記画像データ特定部によって特定された画像データ群を、スライド表示単位として、記録媒体に記録する分類スライド表示形式記録部と
を備える。
【００１４】
本発明の作用効果を以下に示す。すなわち、記録媒体書込装置は、複数の画像データをスライド形式に連続して表示可能とする保存フォーマットで記録媒体に記録する機能を有する。取得手段は、画像データと、当該画像データに付与された付与情報とを共に取得することができる。取得手段は、各種メディア（例えば、ＣＤ−Ｒ、ＭＤ、ＭＯ、コンパクトフラッシュ(登録商標）等）に記録された画像データを読み取る読取装置で構成でき、この読取装置は、１又は複数で構成される。また、取得手段は、例えば、データを受信する入力インターフェースであってもよい。画像が形成された画像形成媒体（例えば、ネガフィルム等）から画像を取得するスキャナー、また、各種メディア（例えば、ＣＤ−Ｒ、ＭＤ、ＭＯ、コンパクトフラッシュ等）に記録された画像データを読み取る読取装置等から画像データ等を受信するように構成できる。
【００１５】
付与情報は、画像データに付随された情報であり、例えば、Ｅｘｉｆ情報、ＤＰＯＦ情報、日付情報（撮影日時、画像データ編集日時等）、位置情報（ＧＰＳ位置情報）等が例示される。特に、付与情報は、日付情報又は位置情報が好ましい。撮影日時又は位置情報でイベント（イベント日時又はイベントの場所）を特定できるからである。
【００１６】
本発明において、１又は複数の取得手段によって、複数の記録媒体に記録された画像データ群を取得できる。これにより、複数のオーダ受け付けとなるところ、１つの処理操作で複数の記録媒体から画像データを読み取り、読み取った画像データ群をまとめて１個の記録媒体に記録することが可能になる。
【００１７】
そして、分類情報受付部は、取得手段で取得された画像データを分類する情報である分類情報を受け付ける。分類情報は、例えば、日付情報、位置情報が例示される。分類情報受付部は、入力装置から分類情報を直接受け付けるように構成されてもよいし、外部装置から分類情報を受け付ける（受信する）ように構成してもよい。
【００１８】
画像データ特定部は、分類情報で分類される付与情報に基づいて画像データを特定する。そして、分類スライド表示形式記録部は、画像データ特定部によって特定された画像データ群を、スライド表示単位として、記録媒体に記録する。記録媒体に記録する場合、１個の記録媒体に記録される。これにより、画像データをイベント単位に再生できる保存形式で記録する記録媒体書込装置を提供することができる。
【００１９】
また、本発明において、画像データ特定部によって特定された画像データ群ごとに、ＢＧＭ音を設定するＢＧＭ音設定部をさらに備えることが好ましい。
【００２０】
この構成によれば、イベント単位の画像データが特定された後に、ＢＧＭ（Ｂａｃｋ  Ｇｒａｎｄ  Ｍｕｓｉｃ）音を設定できるので、イベントに適したＢＧＭ音を選択できる。
【００２１】
また、本発明において、画像データ特定部による画像データ群の特定の後に、背景画像を設定する背景画像設定部をさらに備えることは好ましい。
【００２２】
この構成によれば、イベント単位の画像データが特定された後に、背景画像を設定することができ、イベントに適した背景画像を選択できる。
【発明を実施するための最良の形態】
【００２３】
（実施形態１）
本発明に係る記録媒体書込装置２０について図１を用いて説明する。記録媒体書込装置２０は、画像データ及び付与情報を各種メディアから読み取るための読み取り用挿入部２１を複数有し、また、装置の操作画面を表示するモニター２２、画像データを記録媒体（ここでは、ＤＶＤ−Ｒ又はＤＶＤ−ＲＷ）に書き込みするための書き込み用挿入部２３が具備されている。また、装置の操作は、オペレータがタッチパネル（入力装置）で行えるように構成されている。以下に、具体的構成について説明する。
【００２４】
［記録媒体書込装置の構成］
記録媒体書込装置２０は、複数の画像データをスライド形式に連続して表示可能とする保存フォーマットで記録媒体に記録する機能を提供する。図２に示すように、記録媒体書込装置２０は、各種メディアに記録された画像データ及び付与情報を読み取る読取装置２０ａ（取得手段に相当する）を有する。読取装置２０ａは、各種メディア（例えば、ＣＤ−Ｒ、ＭＤ、ＭＯ、コンパクトフラッシュ(登録商標）、Ｍｉｎｉ  Ｄｉｓｉｋ等）に記録された画像データ及び付与情報を読み取る。付与情報は、コマ画像毎に付与されており、撮影日付情報、ＧＰＳの位置情報、Ｅｘｉｆ情報、ＤＰＯＦ情報等が例示される。読取装置２０ａは、各種メディアに対応した公知の装置で構成できるので、ここでの詳細な説明は省略する。なお、読み取られた画像データ及び付与情報は、データ格納部２０ｂに格納される。データ格納部２０ｂは、不揮発性の記録媒体或いは揮発性の記録媒体で構成できる。
【００２５】
分類情報受付部２０ｃは、画像データを分類する情報である分類情報を受け付けることができる。分類情報受付部２０ｃは、例えば、記録媒体書込装置２０のモニター２１上の操作画面に従い、入力装置２０ｄを用いて、直接に分類情報を入力することで、分類情報受付部２０ｃが分類情報を受け付けるように構成できる。
【００２６】
画像データ特定部２０ｆは、分類情報受付部２０ｃによって受け付けられた分類情報と、データ格納部２０ｂに格納されている付与情報を比較判断して付与情報を分類する。そして、画像データ特定部２０ｆは、分類情報で分類される付与情報に基づいて、画像データを特定する。分類情報で分類された付与情報に対応する画像データが特定され、結果、分類情報に対応して画像データが分類されることになる。
【００２７】
分類スライド表示形式記録部２０ｇは、画像データ特定部２０ｆによって特定された画像データ群（分類された画像データのまとまり）を、スライド表示単位として、記録媒体（例えば、ＤＶＤ−Ｒ）に記録する。記録形式（保存フォーマット）は、例えば、Ｖｉｄｅｏ  ＣＤ、ＤＶＤ−Ｖｉｄｅｏ、ＡＶＩ、エディターに依存するムービー形式、ＭＰＥＧ２等が例示され、記録形式設定手段の機能により、適宜選択可能に構成される。複数の画像データをスライド表示単位に区切る方法としては、例えば、画像データの任意の位置にチャプタを打つ方法が例示される。複数の画像データ中にチャプタを打つことでインデックスが設定され、このインデックスを基準として画像データのまとまりを認識し、再生時には、インデックスで分類されて、スライド表示できるように記録媒体に記録される。例えば、ＤＶＤ−Ｒに記録する場合、ＤＶＤ−Ｒドライブによって記録実行される。
【００２８】
ＢＧＭ音設定部２０ｈは、画像データ特定部２０ｆによって特定された画像データ群ごとに、ＢＧＭ音を設定することができる。例えば、ＢＧＭ音設定部２０ｈは、記録媒体書込装置２０に内蔵の記録装置に記憶された複数のBGM音を選択して設定するように構成でき、記録媒体書込装置２０と通信回線で接続されるBGM音のデータベース（以下、BGM音DBと称する）からBGM音を選択して設定できるように構成してもよく、さらには、記録媒体書込装置２０と接続されるBGM音を読み取る装置（例えば、CD読取装置、MD読取装置等）からBGM音を読み取れるように構成することもできる。
【００２９】
背景画像設定部２０ｉは、画像データ特定部２０ｆによる画像データ群の特定の後に、背景画像を設定する。例えば、背景画像設定部２０ｉは、記録媒体書込装置２０に内蔵の記録装置に記憶された複数の背景画像を選択して設定するように構成でき、記録媒体書込装置２０と通信回線で接続される背景画像のデータベース（以下、背景画像DBと称する）から背景画像を選択して設定できるように構成してもよく、さらには、記録媒体書込装置２０と接続されるデータ読み取り装置（例えば、読取装置１２等）から背景画像を読み取れるように構成することもできる。
【００３０】
記録媒体書込装置２０のその他の各制御手段については、ＣＰＵ、メモリ等のハードウェアと、制御を行うためのソフトウェアを適宜組み合わせることにより構成することができる。
【００３１】
（実施形態１の動作説明）
記録媒体書込装置２０の動作を図３のフローチャート及び操作画面を示す図４を用いて以下に説明する。なお、操作画面の構成は、図４に示す操作画面の構成に限定されるものではなく、適宜設定できる。今、記録媒体書込装置２０のモニター２２に書込み設定操作画面が表示される。この操作画面に従い、ユーザは、画像データ（静止画のデータ）及び付与情が記憶されたメディア（ここでは、ＣＤ−Ｒ）を図１に示す読み取り用挿入部２１に挿入する（Ｓ１）。この挿入により、図４Ａに示すように、挿入されたメディアの種類（ここでは、ＣＤ−Ｒ）が表示される。また、画像データがフォルダにまとめられている場合、そのフォルダ名（ここでは運動会）が、タイトル欄に表示される。また、フォルダ内にコメントが含まれている場合、コメント情報が、コメント欄に表示される。画像データがフォルダにまとめられていない場合、この画像データ群を識別するために、ユーザは、タイトル欄にタイトル（識別情報）を任意に入力装置２０ｄを用いて入力することができる。
【００３２】
挿入されたＣＤ−Ｒから画像データ及び付与情報を読み取る場合、図４Ａの画像データ読み込みボタンを選択する。これによりＣＤ−Ｒから画像データ及び付与情報を読み取ることができる（Ｓ２）。読み取られた画像データ群が表示される一例を図４Ｂに示す。図４Ｂに示すように、画面表示左側にタイトル「運動会」が表示される。タイトル「運動会」の下部には、メディアの識別情報（ここでは、読み取り時刻）が表示される。画面右側には、読み込まれた画像データの個々の画像が表示される。表示された個々の画像の下部に、撮影日時が表示される。この撮影日時は、付与情報の一部を構成するものである。なお、他の付与情報（例えば、位置情報）も表示されるように構成できる。
【００３３】
図４Ｂに示す画面下部フィールドには、今、読み込んだ画像データを、記録媒体に書き込む場合には、「次へ」ボタンを選択すること、及び、複数のオーダをまとめて１個の記録媒体に書き込む場合（次のメディアからも画像データを読み込んで、複数のメディアから読み込んだ画像データをまとめて記録媒体に書き込む場合）に、「ＰＡＳＳ」ボタンを選択することがユーザに対して説明されている。
【００３４】
「ＰＡＳＳ」ボタンを選択した場合、次のメディアを挿入し、画像データ及び付与情報をさらに読み込むことができる（Ｓ３）。
【００３５】
図４Ｃの操作画面の下部の「分類」ボタンを選択すると（Ｓ４）、分類情報に基づく画像データの分類を行える（Ｓ６）。他のボタン「ＢＧＭ」、「背景」ボタンを選択すると（Ｓ５）、ＢＧＭ音の設定画面、背景画像の設定画面に切り換わり、各々の設定ができる（不図示）。
【００３６】
ステップＳ６において、図４Ｄに示す分類情報入力操作画面に切り換わり、分類するために必要な分類情報の入力を行う。画像の分類方法として、例えば、日時或いは位置（場所）を選択することができる。日時を選択した場合、例えば、「２００６年２月２４日１０時３０分〜２００６年２月２４日１１時３０分」を入力できる。また、位置（場所）を選択した場合、例えば、緯度、経度の情報を入力できる。なお、位置情報は、ＧＰＳ位置情報（Ｇｌｏｂａｌ  Ｐｏｓｉｔｉｏｎｉｎｇ  Ｓｙｓｔｅｍ）であり、緯度、経度、高度などを数十メートルの精度で設定可能である。また、イベント（テーマ）欄にイベント情報を入力する（ここでは、綱引き）ことができる。
【００３７】
画像データの分類を行う場合、「分類スタート」ボタンを選択する。これにより、分類情報に対応する付与情報が分類されて、付与情報に対応する画像データが特定されることになる（Ｓ７）。また、別のイベントの分類も行う場合、「分類スタート」ボタンを選択せずに、「次のイベント設定」ボタンを選択することができる。これにより、別のイベント（例えば、玉いれ）の分類情報を、上記と同様に入力することができる。そして、「分類スタート」ボタンを選択すれば、複数のイベント（分類情報）での分類処理が同時に実行できる。図４Ｅに示すように、入力された分類情報によって特定された画像データ群がまとまって表示される。まとまって表示されている画像のトップは、分類情報によって特定された最初の画像であり、スライド形式で再生される場合には、最初に再生される画像になる。特定された画像データの群の下部には、入力されたイベント情報（例えば、綱引き、玉いれ）等が表示される。
【００３８】
ステップＳ７においての分類処理が終了した後、さらに分類処理させる場合、ステップＳ６に戻る（Ｓ８）。一方、分類処理が終了したら、次の処理をさせることができる。例えば、ＢＧＭ音を設定する場合、図４Ｆに示すようにＢＧＭ音設定フィールドでＢＧＭ音を設定できる（Ｓ９）。ＢＧＭ音の設定は、分類情報で特定された画像データ群ごとに設定でき、例えば、画像データ群（綱引き）を選択した後（画像データ群を指示して反転表示させた後）に、ＢＧＭ音（ここでは、Ｍｕｓｉｃ１）を選択できる。設定されたＢＧＭ音（Ｍｕｓｉｃ１）は、イベント表示の下部に表示させることができる。
【００３９】
また、図４Ｇに示すように背景画像を設定できる（Ｓ１０）。背景画像は、スライド形式に再生させる場合に、イベントごとに画像データ群を表示させる初期画面表示における背景画像である。図５に、再生画面の一例を示す。図５に示すように、複数の画像データ群の背景に、設定された背景画像が表示される（なお、ここでは、背景画像は図示していない）。
【００４０】
書込み処理を行わせる場合、「書込み操作を続ける」ボタンを選択する。この選択により、図４Ｈに示す記録形式設定画面に切り換わり、記録形式（記録フォーマット）を選択することができる（Ｓ１１）。例えば、ＤＶＤ−Ｖｉｄｅｏ、Ｖｉｄｅｏ−ＣＤ、ＭＰＥＧ２等を選択することができる。記録形式の選択をしない場合、予め設定された記録形式が選択されるように構成してもよい。
【００４１】
記録フォーマットの選択後、図４Ｈに示す「書込み開始」ボタンを選択すると、書込み用挿入口２３に挿入された記録媒体（ここではＤＶＤ−Ｒ）に、選択された記録フォーマットで画像データを書き込む（Ｓ１２）。書込み処理が終了したら、記録媒体（ＤＶＤ−Ｒ）を抜きだして、書き込み処理が終了する。
【００４２】
以上の実施形態によれば、複数のメディアから画像データを読み取り、分類情報で分類されるイベントごとに画像データを特定して画像データ群を分類し、分類された画像データ群を記録媒体に、スライド形式で再生可能とする保存フォーマットで記録できる。そして、この記録媒体に記録された画像データを再生させる場合において、イベントごとにスライドショーを実行することができる。さらに、イベントごとにＢＧＭ音が設定されているので、イベントに適したＢＧＭがスライドショーの際に聞くことができ、スライドショーを楽しく鑑賞することができる。
【００４３】
（実施形態１の変形例）
記録媒体書込装置２０は、通信部（変形例における取得手段に相当する）を有し、画像データと、当該画像データに付与された付与情報とを受信することができる。通信部は、フィルムスキャナー或いは読取装置等から画像データ及び付与情報等を受信することができる。通信部は、例えば、送受信インターフェース、バッファメモリ、通信制御部等（いずれも不図示である）で構成できる。受信された画像データ等はデータ格納部２０ｂに格納される。
【００４４】
記録媒体書込装置２０は、インターネットを介して、ユーザのホームコンピュータ（パソコン）と接続され、ホームコンピュータから画像データ及び付与情報、さらには、分類情報を受信するように構成することもできる。
【００４５】
（実施形態２）
本発明に係る記録媒体書込装置２０を備えるプリント処理システム１０の実施形態を図６及び図７を用いて説明する。プリント処理システム１０は、ネガフィルム等の画像形成媒体から画像を読み取るフィルムスキャナー１１と、各種メディア（例えば、ＣＤ−Ｒ、ＭＤ、ＭＯ、コンパクトフラッシュ(登録商標）等）に記録された画像データ及び付与情報を読み取る読取装置１２とを有する。そして、フィルムスキャナー１１又は読取装置１２で読み取った画像データを画像処理する画像処理装置１３と、画像処理装置で画像処理されたデータに基づいて写真感光材料に露光処理し、現像・乾燥処理して写真を作成するプリント部１４とを有する。さらに、各種記録媒体に画像データを書き込む記録媒体書込装置２０と、プリント処理システム１０の全体動作を制御する制御装置３０を備える。なお、プリント処理システム１０は、その他の装置（例えば、注文者用受付端末、インターネット受け付け可能なＰＣ端末等）を備えるように構成することもできる。
【００４６】
［記録媒体書込装置の構成］
記録媒体書込装置２０は、複数の画像データをスライド形式に連続して表示可能とする保存フォーマットで記録媒体に記録する機能を提供する。図７に示す、通信部２０ａ（取得手段に相当する）は、画像データと、当該画像データに付与された付与情報とを受信することができる。通信部２０ａは、フィルムスキャナー１１や読取装置１２で読み取られた画像データを、制御装置３０から受信できる。また、通信部２０ａは画像データに対応する付与情報を制御装置３０から受信することができる。通信部２０ａは、例えば、送受信インターフェース、バッファメモリ、通信制御部等（不図示）で構成できる。受信された画像データ等は、データ格納部２０ｂに一時的に格納される。
【００４７】
また、記録媒体書込装置２０は、画像データ等を通信部２０ａで受信する構成に制限されず、各種メディアに記録された画像データ及び付与情報を読み取る読取装置１２の機能を備えるように構成することもできる。
【００４８】
分類情報受付部２０ｃは、画像データを分類する情報である分類情報を受け付けることができる。例えば、プリント処理システム１０のオペレータがモニター１５の操作画面に従い、入力装置１６（キーボード、マウス等）を用いて分類情報を入力することができる。入力された分類情報は、制御装置３０によって、分類情報受付部２０ｃに送信される。
【００４９】
画像データ特定部２０ｆ及び分類スライド表示形式記録部２０ｇは、実施形態１と同様の機能である。
【００５０】
ＢＧＭ音設定部２０ｈは、画像データ特定部２０ｆによって特定された画像データ群ごとに、ＢＧＭ音を設定することができる。例えば、プリント処理システム１０のオペレータがモニター１５の操作画面に従い、入力装置１６（キーボード、マウス等）を用いてＢＧＭ音を設定し、設定されたＢＧＭ音の情報が制御装置３０によってＢＧＭ音設定部２０ｈに送信される。ＢＧＭ音設定部２０ｈは、この送信されたＢＧＭ音の情報によりＢＧＭ音を設定できる。
【００５１】
背景画像設定部２０ｉは、画像データ特定部２０ｆによる画像データ群の特定の後に、背景画像を設定する。例えば、プリント処理システム１０のオペレータがモニター１５の操作画面に従い、入力装置１６（キーボード、マウス等）を用いて背景画像を設定し、設定された背景画像の情報が制御装置３０によって背景画像設定部２０ｉに送信される。背景画像設定部２０ｉは、この送信された背景画像の情報により背景画像を設定できる。
【００５２】
［プリント処理システムの全体構成］
フィルムスキャナー１１は、従来公知のフィルムスキャナーで構成され、ここでの詳細な説明は省略する。
【００５３】
［読取装置］
読取装置１２は、各種メディア（例えば、ＣＤ−Ｒ、ＭＤ、ＭＯ、コンパクトフラッシュ(登録商標）等）に記録された画像データ及び付与情報を読み取る。付与情報は、コマ画像毎に付与されており、撮影日付情報、ＧＰＳの位置情報、Ｅｘｉｆ情報、ＤＰＯＦ情報等が例示される。読取装置１２は、公知の読取手段で構成できるので、ここでの詳細な説明は省略する。
【００５４】
［画像処理装置］
画像処理装置１３は、後述するプレジャッジで設定された補正データに基づいて画像データを画像処理する。画像処理装置１３は、不図示の受信メモリ、画像処理基板（ファームウエア）、送信メモリ等で構成される。
【００５５】
［プリント部］
次に、プリント部１４の構成を説明する。ペーパーマガジン１４ａには、写真感光材料（印画紙）であるペーパーＰがロールの形態で収容されている。ペーパーカッター１４ｂは、ペーパーマガジン１４ａから引き出されたペーパーＰをプリントサイズに切断する。露光エンジン１４ｃは、画像処理装置１３から送られてくる画像データに基づいて、ペーパーＰの乳剤面に画像を焼付露光する。露光エンジン１４ｃとしては、例えば、レーザーエンジン、ＰＬＺＴエンジン等がある。搬送経路に沿って、多数の搬送ローラ１４ｄが配置されており、ペーパーＰは搬送ローラ１４ｄにより搬送される。現像処理部１４ｅは、画像が焼付露光されたペーパーＰの現像処理を行う。現像処理が行われたペーパーＰは、乾燥処理部１４ｆによって乾燥処理が施され、ペーパー排出部１４ｇから仕上がりの写真プリントが排出され、コンベア１４ｈ上に載置される。
【００５６】
［制御装置］
制御装置３０は、フィルムスキャナー１１から画像データを受信する通信部３１と、通信部で受信された画像データを記憶する記憶部３２を備える。また、通信部３１は、読取装置１２から画像データ及び付与情報を受信することができ、記憶部３２は、受信した画像データ及び付与情報を記憶する。また、制御装置３０は、モニター１５及び入力装置１６（キーボード、マウス等）と接続されている。
【００５７】
フィルムスキャナー１１により読み取られた画像はモニター１５の画面に表示される。オペレータは、この画面を見ながら画像処理あるいはプリント条件設定に必要な種々の作業（プレジャッジ処理等の作業）を行う。オペレータは、入力装置１６により、写真処理に必要なデータの入力や、各種の指令を与えることができる。フィルムスキャナー１１によりネガフィルムが読み取られた際に、画像データと共に、撮影日時のデータの読み取られる。制御部３３の画像解析により、日時データを解析して、この日時データを付与情報として、画像データと対に記憶することができる。また、プレジャッジ処理の操作画面上で、読み取られたコマ画像ごとに、付与情報である、撮影日時、撮影場所等を設定して、付与情報として設定することもできる。
【００５８】
制御部３３は、例えば、ＣＰＵ、主記憶装置、制御バス、データバス等のハードウエアと各種制御プログラムで構成されている。制御部３３は、システムの全体を制御することができ、通信機能、オーダ管理・制御機能、画像処理機能、プレジャッジ部３３ａによるプレジャッジ処理機能等を有する。
【００５９】
（実施形態２の動作説明）
プリント処理システム１０における記録媒体書込装置２０の動作を以下に説明する。今、図９に示すように、モニター１５にプレジャッジ操作画面が表示されている。このプレジャッジ操作画面の左下部に「メディア出力」設定のフィールドが表示されている。書き込み設定を指示することで図１０Ａに示すような書き込み設定画面に移行することができる。
【００６０】
図１０Ａに示すように、書き込み設定画面でメディア書き込み対象のオーダを選択する（Ｓ２１）。オーダ＃１、＃２は、フィルムスキャナー１１で読み取られ、プレジャッジ処理後の画像データ群を意味し、日付情報と共に記憶部３２に記憶されている。オーダ＃３，＃４、＃５は、読取装置１２によって各メディアから読み取られた画像データ及び付与情報を意味し、画像データ及び付与情報は、記憶部３２に記憶されている。ここで表示されていないオーダを書き込む場合は、画像データを新規に読み取る必要があり、プレジャッジ操作画面の操作に従って画像データを読み取ることができる。
【００６１】
オーダ＃１を選択すると、タイトル欄にオーダ＃１のタイトル（ここでは、旅行）が表示される。タイトルが付されていない場合には、オペレータの操作により入力可能である。「ＯＫ」ボタンの選択により、オーダ選択が確定し（Ｓ２２）、図１０Ｂの画面に移行する。図１０Ｂに示すように、画面表示左側にタイトル「旅行」が表示される。画面右側には、読み込まれた画像データの個々の画像が表示される。表示された個々の画像の下部に、撮影日時が表示される。
【００６２】
「ＰＡＳＳ」ボタンを選択した場合（Ｓ２３）、ステップＳ２１に戻り、さらに別のオーダを選択することができる（Ｓ２１）。
【００６３】
図１０Ｃの操作画面の下部の「分類」ボタンを選択すると（Ｓ２４）、分類情報に基づく画像データの分類を行える（Ｓ２６）。他のボタン「ＢＧＭ」、「背景」ボタンを選択すると（Ｓ２５）、ＢＧＭ音の設定画面、背景画像の設定画面に切り換わり、各々の設定ができる。
【００６４】
ステップＳ２６において、図１０Ｄの画面に切り換わり、分類するために必要な分類情報（ここでは、ローマ１日目）の入力を行う。ここでの動作は、実施形態１のステップ６と同様である。
【００６５】
画像データの分類を行う場合、「分類スタート」ボタンを選択する。これにより、分類情報に対応する付与情報が分類されて、付与情報に対応する画像データが特定されることになる（Ｓ２７）。また、別のイベントの分類も行う場合、「分類スタート」ボタンを選択せずに、「次のイベント設定」ボタンを選択することができる。これにより、別のイベント（例えば、ローマ２日目）の分類情報を、上記と同様に入力することができる。そして、「分類スタート」ボタンを選択すれば、複数のイベント（分類情報）での分類が可能になる。図１０Ｅに示すように、入力された分類情報によって、特定された画像データ群がまとまって表示される。特定された画像データの群の下部には、入力されたイベント情報（例えば、ローマ１日目、ローマ２日目、ベネチア、トリノ）等が表示される。
【００６６】
ステップＳ２７においての分類処理が終了した後、さらに分類処理させる場合、ステップＳ２６に戻る（Ｓ２８）。一方、分類処理が終了したら、次の処理をさせることができる。例えば、ＢＧＭ音の設定する場合、ＢＧＭ設定フィールドでＢＧＭ音を設定できる（Ｓ２９）。ＢＧＭ音の設定は、分類情報で特定された画像データ群ごとに設定でき、例えば、画像データ群（ベネチア）を選択した後（画像データ群を指示して反転表示させた後）に、ＢＧＭ音を選択できる。設定されたＢＧＭ音は、イベント表示の下部にさらに表示させることができる。また、背景画像の設定をすることができる（Ｓ３０）。ＢＧＭ音の設定、背景画像の設定方法は、実施形態１と同様の操作で行うことができる。
【００６７】
書込み処理を行わせる場合、「書込み操作を続ける」ボタンを選択する。この選択により、図４Ｈに示すような記録形式設定画面に切り換わり、記録形式（記録フォーマット）を選択することができる（Ｓ３１）。
【００６８】
記録形式（記録フォーマット）の選択後、図４Ｈに示すような「書込み開始」ボタンを選択すると、書込み用挿入口２３に挿入された記録媒体（ここではＤＶＤ−Ｒ）に、選択された記録フォーマットで画像データを書き込む（Ｓ３２）ことができる。書込み処理が終了したら、記録媒体（ＤＶＤ−Ｒ）を抜きだして、書き込み処理が終了する。
【００６９】
以上の実施形態によれば、複数のオーダを選択して、分類情報で分類されるイベントごとに画像データを特定して画像データ群を分類し、分類された画像データ群を記録媒体に、スライド形式で再生可能とする保存フォーマットで記録できる。そして、この記録媒体に記録された画像データを再生させる場合において、イベントごとにスライドショーを実行することができる。さらに、イベントごとにＢＧＭ音が設定されているので、イベントに適したＢＧＭがスライドショーの際に聞くことができ、スライドショーを楽しく鑑賞することができる。また、分類された画像データに適するように、所望の背景画像を設定することができる。
【００７０】
（実施形態２の変形例）
実施形態２では、記録媒体書込装置２０と制御装置３０が異なる装置として構成されているように説明したが、これに制限されず、制御装置３０に、分類情報受付部２０ｃ、画像データ特定部２０ｆ、分類スライド表示形式記録部２０ｇ、ＢＧＭ音設定部２０ｈ、背景画像設定部２０ｉの機能を備えるように構成することができる。この場合、制御装置３０は、画像データと、当該画像データに付与された付与情報とを共に取得する１つ又は複数の取得手段と、当該画像データを分類する情報である分類情報を受け付ける分類情報受付部と、前記分類情報で分類される付与情報に基づいて画像データを特定する画像データ特定部と、前記画像データ特定部によって特定された画像データ群を、スライド表示単位として、記録媒体に記録する分類スライド表示形式記録部とをさらに、備えるように構成される。
【００７１】
（実施形態３  ソフトウエアプログラム）
上記の実施形態において説明した記録媒体書込装置２０の動作について、ソフトウェアで実現し、当該ソフトウェアを、例えば、サーバー上に置いて、ソフトウェアダウンロードにより当該ソフトウェアを配布しても良い。さらにソフトウェアをＣＤ−ＲＯＭ等の記録媒体に記録して流布しても良い。なお、本実施の形態における記録媒体書込装置２０の動作をソフトウェアで実現した場合のプログラムは、以下のようになる。
【００７２】
コンピュータに、画像データと、当該画像データに付与された付与情報とを共に取得する１つ又は複数の取得ステップと、当該画像データを分類する情報である分類情報を受け付ける分類情報受付ステップと、前記分類情報で分類される付与情報に基づいて画像データを特定する画像データ特定ステップと、前記画像データ特定ステップによって特定された画像データ群を、スライド表示単位として、記録媒体に記録する分類スライド表示形式記録ステップとを実行させるためのプログラムである。
【００７３】
（実施形態１，２の変形例）
プリント部１４は銀塩式の印画紙を使用するものに限定されず、インクジェット型、昇華型のプリント作成装置を用いてもよい。
【００７４】
本発明の実施例として、運動会、旅行などの上位のイベント情報に関して下位のイベント情報（綱引き、玉入れ、紅白リレー；ローマ１日目、ローマ２日目・・）展開するものを示したが、まったく違うイベント情報（運動会、旅行など。）を１つの記録媒体に記憶するものであってもよい。
【図面の簡単な説明】
【００７５】
【図１】記録媒体書込装置の外観構成を示す図
【図２】記録媒体書込装置の機能ブロック図
【図３】記録媒体書込装置の動作を説明するフローチャート
【図４Ａ】記録媒体書込装置の操作画面を説明する図
【図４Ｂ】記録媒体書込装置の操作画面を説明する図
【図４Ｃ】記録媒体書込装置の操作画面を説明する図
【図４Ｄ】記録媒体書込装置の操作画面を説明する図
【図４Ｅ】記録媒体書込装置の操作画面を説明する図
【図４Ｆ】記録媒体書込装置の操作画面を説明する図
【図４Ｇ】記録媒体書込装置の操作画面を説明する図
【図４Ｈ】記録媒体書込装置の操作画面を説明する図
【図５】スライドショーの表示画面を説明する図
【図６】プリント処理システムの外観構成を示す図
【図７】プリント処理システムの機能ブロック図
【図８】記録媒体書込装置の動作を説明するフローチャート
【図９】プレジャッジ操作画面を説明する図
【図１０Ａ】プリント処理システムの操作画面を説明する図
【図１０Ｂ】プリント処理システムの操作画面を説明する図
【図１０Ｃ】プリント処理システムの操作画面を説明する図
【図１０Ｄ】プリント処理システムの操作画面を説明する図
【図１０Ｅ】プリント処理システムの操作画面を説明する図
【符号の説明】
【００７６】
２０      記録媒体書込装置
２０ａ    読取装置
２０ｂ    データ格納部
２０ｃ    分類情報受付部
２０ｄ    入力装置
２２      モニター
２０ｆ    画像データ特定部
２０ｇ    分類スライド表示形式記録部
２０ｈ    ＢＧＭ音設定部
２０ｉ    背景画像設定部
【図１】
0004492562.tif 000002
【図２】
0004492562.tif 000003
【図３】
0004492562.tif 000004
【図４Ａ】
0004492562.tif 000005
【図４Ｂ】
0004492562.tif 000006
【図４Ｃ】
0004492562.tif 000007
【図４Ｄ】
0004492562.tif 000008
【図４Ｅ】
0004492562.tif 000009
【図４Ｆ】
0004492562.tif 000010
【図４Ｇ】
0004492562.tif 000011
【図４Ｈ】
0004492562.tif 000012
【図５】
0004492562.tif 000013
【図６】
0004492562.tif 000014
【図７】
0004492562.tif 000015
【図８】
0004492562.tif 000016
【図９】
0004492562.tif 000017
【図１０Ａ】
0004492562.tif 000018
【図１０Ｂ】
0004492562.tif 000019
【図１０Ｃ】
0004492562.tif 000020
【図１０Ｄ】
0004492562.tif 000021
【図１０Ｅ】
0004492562.tif 000022